(57)【要約】      （修正有）【課題】  浴室の天井下面に結露によって付着した水滴が浴槽や洗い場に直接自然落下しない浴室天井シールを提供する。【解決手段】  第一、第二、第三および第四の角部５、６、７、８で形成された矩形を呈し、第一の角部５が肉厚状に形成され、第一の角部５以外の第二、第三および第四の角部６、７、８がほぼ同じ肉薄状に形成されたシール本体２を備える浴室天井用シールであって、矩形は、シール本体２の表面側に、肉薄状の第二の角部６より肉厚状の第一の角部５に向けて形成される第一の稜線部９と、肉薄状の第四の角部８より第一の角部５に向けて形成される第二の稜線部１０と、第三の角部７と第二の角部６とを結ぶほぼ水平の第一の辺部１３と、第三の角部７と第四の角部８とを結ぶほぼ水平の第二の辺部１４を備え、第三の角部７より第一の角部５、並びに前記第一および第二の辺部１３、１４より第一および第二の稜線部９、１０に向けて傾斜面１５を形成した。【選択図】        図５
2006283349.tif 000002
【特許請求の範囲】
【請求項１】
順に第一、第二、第三および第四の角部で形成された矩形を呈し、前記第一の角部が肉厚状に形成されるとともに、前記第一の角部以外の第二、第三および第四の角部がほぼ同じ肉薄状に形成されたシール本体を備える浴室天井用シールであって、
前記矩形は、シール本体の表面側に、前記肉薄状の第二の角部より前記肉厚状の第一の角部に向けて形成される第一の稜線部と、肉薄状の第四の角部より第一の角部に向けて形成される第二の稜線部と、前記第三の角部と第二の角部とを結ぶほぼ水平の第一の辺部と、前記第三の角部と第四の角部とを結ぶほぼ水平の第二の辺部を備え、
前記第三の角部より第一の角部、並びに前記第一および第二の辺部より第一および第二の稜線部に向けて傾斜面を形成し、さらに、前記傾斜面の表面に、前記傾斜面の傾斜する方向に沿って前記第一および第二の辺部より複数の溝部を形成したことを特徴とする浴室天井用シール。
【請求項２】
前記溝部は、前記第一の辺部より前記第一の稜線部、並びに前期第二の辺部より前記第二の稜線部へ向けて、各々所望の間隔でほぼ平行に形成されることを特徴とする請求項１に記載の浴室天井用シール。
【請求項３】
前記溝部は、円弧状の一部を切欠いた、溝の奥部に対し開口部側が幅狭な形状に形成されることを特徴とする請求項１および２に記載の浴室天井用シール。
【請求項４】
前記稜線部の端縁部の近傍において、前記第一および第二の稜線部に沿って各々第一の溝部を形成したことを特徴とする請求項１ないし２に記載の浴室天井用シール。
【請求項５】
前記シール本体の裏面側に粘着剤層を形成したことを特徴とする請求項１に記載の浴室天井用シール。
【請求項６】
前記シール本体は、樹脂製の素材で作製されることを特徴とする請求項１または５に記載の浴室天井用シール。
【請求項７】
前記シール本体の少なくとも表面側には、チタン合金が塗布されていることを特徴とする請求項１、または請求項５ないし６に記載の浴室天井用シール。
【請求項８】
前記シール本体を、前記第一の角部と前記第三の角部とを結ぶ対角線状に切断し、三角形状の第一のシール本体部材と第二のシール本体部材とに分離可能に形成したことを特徴とする請求項１、および５ないし７に記載の浴室天井用シール。
【請求項９】
順に肉厚状に形成された第一の角部、ほぼ同じ肉薄状に形成された第二、第三および第四の角部で形成された矩形状のシール本体を備え、
前記シール本体の表面側に、前記肉薄状の第二の角部より前記肉厚状の第一の角部に向けて形成される第一の稜線部と、前記肉薄状の第四の角部より第一の角部に向けて形成される第二の稜線部と、前記第三の角部と第二の角部とを結ぶほぼ水平の第一の辺部と、前記第三の角部と第四の角部とを結ぶほぼ水平の第二の辺部を備え、前記第三の角部より第一の角部、並びに前記第一および第二の辺部より第一および第二の稜線部に向けて傾斜面を形成し、さらに、前記傾斜面の表面に、前記傾斜面の傾斜する方向に沿って前記第一および第二の辺部より複数の溝部が形成され、かつ、前記シール本体の裏面に粘着剤層を備えて成る浴室天井用シールを用いた浴室天井改装方法であって、
前記矩形のシール本体のうち、浴室の天井の大きさの規格の４分の１に見合うシール本体を選択し、第三の角部を天井の中心位置に、そして、第一の角部を天井の四隅に位置するよう、前記粘着剤層を介して既存の天井に４枚貼り付けることを特徴とする浴室天井改装方法。
【請求項１０】
前記シール本体は、天井に予め設置された既存備品の部分を切り欠くことを特徴とする請求項９に記載の浴室天井改装方法。
【発明の詳細な説明】
【技術分野】
【０００１】
本発明は、特に、ユニットバスなどの取替え・改装が困難な浴室の天井に用いて好適な浴室天井用シール及び浴室天井改装方法に関する。
【背景技術】
【０００２】
従来、浴室の天井に結露によって溜まった水滴が、浴槽や洗い場に自然落下して入浴中の人がビックリしないように工夫した浴室の天井が知られている（例えば、特許文献１参照）。            
この浴室の天井によれば、所定の傾斜角度を有して天井部材を配設した構造とし、天井部材の下面に沿って側壁に水滴が流れるようにすることにより、天井部材の下面に結露によって付着した水滴が浴槽や洗い場に無差別に落下することを防止している。
しかしながら、上記の浴室の天井は、新築当初に上記所定の傾斜角度を有する天井（傾斜部材）を形成する必要があるため、既に作製されている浴室、特に、ＦＲＰなどの素材で一体成型されているユニットバスのように、取替えや改装が困難な浴室には不向きであるという問題がある。
また、改装により前記傾斜部材を取り付けることができたとしても、既存の天井との間に空間を必要とする分、天井部分が下がって形成されるため、圧迫感を感じるという問題がある。
また、上記のような問題点を解決すべく、天井の改装を容易とした水滴防止浴室天井構造が知られている（例えば、特許文献２参照）。
この天井構造によれば、既存の浴室の天井と間隔を置いた下方部位に肉厚吸水板を設け、この肉厚吸水板に吸収させることにより水滴を発生させないようにしたものであり、既存の天井の下方部位に肉厚吸水板を設けるようにしたので、特許文献１とは異なり改装が可能となる。
しかしながら、特許文献２の天井構造は、前記肉厚吸水板を支持するために、浴室の側壁に台枠を支持具を介して架設する必要があり、工事に専門家を必要とするので面倒であるばかりか、天井と肉厚吸水板との間に間隔を必要とする分、それでなくとも低い天井がより低くなって圧迫感を感じるという問題がある。
さらに、取外し自在な肉厚吸水板を取り外した際、前記支持具が側壁に突出した状態で残り、清掃がしにくいという問題がある。
【特許文献１】特開平７−２１７０５０号公報
【特許文献２】特開平１０−３１１１１８号公報
【発明の開示】
【発明が解決しようとする課題】
【０００３】
本発明は、上記の問題点に着目して成されたものであり、浴室の天井下面に結露によって付着した水滴が浴槽や洗い場に直接自然落下することのない浴室天井用シールを提供することを課題とする。
また、結露によって付着した水滴が浴槽や洗い場に直接自然落下することのない天井を簡単に形成することのできる浴室天井改装方法を提供することを課題とする。
【課題を解決するための手段】
【０００４】
第１の発明に係る浴室天井用シールは、順に第一、第二、第三および第四の角部で形成された矩形を呈し、前記第一の角部が肉厚状に形成されるとともに、前記第一の角部以外の第二、第三および第四の角部がほぼ同じ肉薄状に形成されたシール本体を備える浴室天井用シールであって、前記矩形は、シール本体の表面側に、前記肉薄状の第二の角部より前記肉厚状の第一の角部に向けて形成される第一の稜線部と、肉薄状の第四の角部より第一の角部に向けて形成される第二の稜線部と、前記第三の角部と第二の角部とを結ぶほぼ水平の第一の辺部と、前記第三の角部と第四の角部とを結ぶほぼ水平の第二の辺部を備え、前記第三の角部より第一の角部、並びに前記第一および第二の辺部より第一および第二の稜線部に向けて傾斜面を形成し、さらに、前記傾斜面の表面に、前記傾斜面の傾斜する方向に沿って前記第一および第二の辺部より複数の溝部を形成したことを特徴とする。
また、溝部は、第一の辺部より第一の稜線部、並びに第二の辺部より第二の稜線部へ向けて、各々所望の間隔でほぼ平行に形成されるようにできる。
また、溝部は、円弧状の一部を切欠いた、溝の奥部に対し開口部側が幅狭に形成されるようにできる。
また、稜線部の端縁部の近傍において、第一および第二の稜線部に沿って各々第一の溝部を形成するようにできる。
また、シール本体の裏面側に粘着剤層を形成するようにできる。
また、シール本体は、樹脂製の素材で作製されるようにできる。
また、シール本体の少なくとも表面側には、チタン合金が塗布されるようにできる。
また、シール本体を、第一の角部と第三の角部とを結ぶ対角線にて切断し、三角形状の第一のシール本体部材と第二のシール本体部材とに分離可能に形成するようにできる。
さらに、第２の発明に係る浴室天井改装方法は、順に肉厚状に形成された第一の角部、ほぼ同じ肉薄状に形成された第二、第三および第四の角部で形成された矩形状のシール本体を備え、前記シール本体の表面側に、前記肉薄状の第二の角部より前記肉厚状の第一の角部に向けて形成される第一の稜線部と、前記肉薄状の第四の角部より第一の角部に向けて形成される第二の稜線部と、前記第三の角部と第二の角部とを結ぶほぼ水平の第一の辺部と、前記第三の角部と第四の角部とを結ぶほぼ水平の第二の辺部を備え、前記第三の角部より第一の角部、並びに前記第一および第二の辺部より第一および第二の稜線部に向けて傾斜面を形成し、さらに、前記傾斜面の表面に、前記傾斜面の傾斜する方向に沿って前記第一および第二の辺部より複数の溝部が形成され、かつ、前記シール本体の裏面に粘着剤層を備えて成る浴室天井用シールを用いた浴室天井改装方法であって、前記矩形のシール本体のうち、浴室の天井の大きさの規格の４分の１に見合うシール本体を選択し、第三の角部を天井の中心位置に、そして、第一の角部を天井の四隅に位置するよう、前記粘着剤層を介して既存の天井に４枚貼り付けることを特徴とする。
また、シール本体は、天井に予め設置された既存備品の部分を切り欠くようにできる。
【発明の効果】
【０００５】
本発明に係る浴室天井用シールは、肉薄状の第三の角部より肉厚状の第一の角部、並びに第一および第二の辺部より第一および第二の稜線部に向けて、表面に溝が備えられた傾斜面が形成され、前記傾斜面または溝部に沿って水滴が第一の角部、並びに第一および第二の稜線部側に流れるため、水滴が天井から浴室に自然落下することを防止できるという効果がある。
また、溝部を、第一の辺部より第一の稜線部、並びに第二の辺部より第二の稜線部へ向けて、各々所望の間隔でほぼ平行に形成すれば、溝に溜まった水滴を壁面側に確実に流すことができる。
また、溝部を、円弧状の一部を切欠いた、溝の奥部に対し開口部側が幅狭に形成されるようにすれば、溝に溜まった水は幅狭な開口部により阻まれて、自然落下を減少させることができる。
また、稜線部の端縁部の近傍において、第一および第二の稜線部に沿って各々第一の溝部を形成するようにすれば、稜線部に流れた水滴を、さらに、第一の溝部を介して第一の角部に流すことが出来るため、稜線部から壁面へ水滴が流れることを減少させることができる。
また、シール本体の裏面側に、粘着剤層を形成するようにすれば、粘着剤層を介して天井にシール本体を容易に貼り付けることができる。
また、シール本体を、樹脂製の素材で作製するようにすれば、切り欠き等の成形がし易くなる。
また、シール本体の少なくとも表面側に、チタン合金が塗布されるようにすれば、表面に水滴が付着し難いため、水滴の流れが円滑となり、かつ、カビが発生し難くなる。
また、シール本体を、第一の角部と第三の角部とを結ぶ対角線にて切断し、三角形状の第一のシール本体部材と第二のシール本体部材とに分離可能とすれば、シール本体の半分の第一および第二のシール本体部材に分離できるため、天井に貼り付ける際の上面に向かっての作業時に撓みが少なくなるとともに、小さい分、保管や持ち運びが容易となる。
さらに、第２の発明に係る浴室天井改装方法は、肉薄状の第三の角部より肉厚状の第一の角部、並びに第一および第二の辺部より第一および第二の稜線部に向けて、表面に溝が備えられた傾斜面が形成され、かつ、裏面に粘着剤層を備えたシート本体を使い、矩形のシール本体のうち、浴室の天井の大きさの規格の４分の１に見合うシール本体を選択し、第三の角部を天井の中心位置に、そして、第一の角部を天井の四隅に位置するよう、前記粘着剤層を介して既存の天井に４枚貼付けるようにしたので、天井の中心部に位置決めされた肉薄の第三の角部より浴室四隅の肉厚状の第一の角部、並びに第一および第二の辺部より浴室壁面に位置決めされた第一および第二の稜線部に向け下り勾配の傾斜面が簡単に形成できるという効果がある。
また、シール本体を、天井に予め設置された既存備品の部分を切り欠くようにすれば、既存設備を浴室側に露出させることができる。
【発明を実施するための最良の形態】
【０００６】
以下、本発明の一実施の形態を図１ないし図８に基づき説明する。
【０００７】
図１は、第１の実施の形態に係る浴室天井用シールの平面説明図、図２は、図１中、矢示ＩＩ方向より見た側面説明図、図３は、図１中、矢示ＩＩＩ方向よりた側面説明図である。
【０００８】
同図に示すように、浴室天井用シール（以下適宜、単に「天井シール」と称する）１は、主に、シール本体２と、このシール本体２の裏面に形成された粘着剤層３と、粘着剤層３が露呈しないようにこれを覆う台紙４とを備える。
【０００９】
シール本体２は、第一の角部５、第二の角部６、第三の角部７および第四の角部８を備えた矩形状を呈しており、第一の角部５が最も肉厚が分厚く形成され、他の第二、第三および第四の角部６、７、８は、前記第一の角部５よりも肉厚が肉薄状であり、かつ、厚みがほぼ同じに形成されている。角部の厚みが異なるため、主に、図２に示すように、肉薄状に形成された第二の角部６より肉厚状に形成された第一の角部５へ伸びる辺部は、傾斜状の第一の稜線部９となる。また、同様に、第四の角部８より第一の角部５へ伸びる辺部は、傾斜状の第二の稜線部１０となる。なお、第二の稜線部１０は、図２と対称の図になるため図示を省略する。
また、前記第一および第二の稜線部９、１０に沿った端縁部の近傍には、Ｕ字状またはコ字状の第一の溝部１１、１２が形成されており、この溝部１１、１２は、稜線部９、１０の傾斜角度と同様の傾斜状態となっている。
なお、シール本体２は、切欠きなどの成形が容易となるよう、例えば樹脂製の素材で作製してある。
また、シール本体２の表面には、チタン合金が塗布してあり、湿気の多い浴室の環境下において水滴が付き難く、かつ、カビが発生し難いようになっている。
【００１０】
次に、主に、図３に示すように、第二および第三の角部６、７は、厚みがほほ同じ肉薄状に形成されるため、第二の角部６と第三の角部７とを結ぶ第一の辺部１３は、水平状態に形成される。また、１６は後述する第二の溝部を表す。同様に、第三の角部７と第四の角部８と結ぶ第二の辺部１４も水平状態に形成される。なお、第二の辺部１４および第一の角部５を示す図は、図３と対称の図になるため図示を省略する。
そして、前記第三の角部７より第一の角部５、並びに第一および第二の辺部１３、１４より前記第一および第二の稜線部９、１０に向けて傾斜面１５が形成されている。この傾斜面１５の表面には複数の第二の溝部１６が形成されている。より具体的には、溝部１６は第一の辺部１３より第一の稜線部９に向け、また、第二の辺部１４より第二の稜線部１０に向け、各々ほぼ平行、かつ、所望の間隔をあけて形成されている。従って、第二の溝部１６は、傾斜面１５の傾斜角度と同様の傾斜状態となっている。
なお、説明の都合上、図２および図３における第二の溝部１６の数は減少して図示してある。
【００１１】
図４は、第二の溝部１６を単一で取り出した拡大の側面説明図であり、図示したように溝部１６は、円弧状の一部を切欠いた、Ｃ字を左に９０度回転させたような形状を呈しており、奥部１６ｃに対し開口部１６ｄが幅狭な形状となっている。
【００１２】
図５は、前記天井シール１を４個並べた説明図であり、また、図６は、図５中、矢示ＶＩ−ＶＩ線に沿う断面図である。なお、説明の都合上、図６における第二の溝部１６の数は減少して図示してある。
主に、図５に示すように、１つの天井シール１の大きさは後述する浴室天井の大きさ（天井面積）の４分の１の大きさとされており、浴室の広さの規格に合わせた複数種類が用意されている。前記天井シール１の肉厚状に形成された第一の角部５が四隅に、また、第三の角部７が中心部に、各々位置するように４枚組み合わせると、浴室の広さとほぼ同じ天井の広さの規格に見合う大きさに形成されるようになっている。上記の組み合わせにより、中心部に位置決めされた第三の角部７から四隅に位置決めされた肉厚状の第一の角部５に掛け、並びに第一および第二の辺部１３、１４から第一および第二の稜線部９、１０に掛けて傾斜面１５が形成されることになり、この傾斜面１５の表面に設けられた第二の溝部１６は前記傾斜面１５の傾斜角度と同様の傾斜状態を呈するようになり、さらに、第二の溝部１６は、第一または第二の稜線部９，１０に形成された第一の溝部１１、１２に連通するように形成される。
また、主に、図６に示すように、シール本体２は、粘着剤層３を介して台紙４に剥離可能に仮着されている。
【００１３】
次に、主に、図７ないし図８を参照して、本発明に係る天井シール１を使った浴室天井改装方法につき説明する。
図７は、浴室の一例を示す図であり、図８は天井部分を拡大した側面の説明図である。
主に、浴室２０は、天井２１と壁面２２に囲まれている。なお、２３は窓、２４は鏡、２５は浴槽、２６は洗い場を、各々示している。
天井２１の広さ（天井面積）の規格に合わせた天井シール１を選び、図５に示すように組み合わせる。すなわち、特に、ユニットバスなどの浴室は、０．７５坪、１．２５坪などの規格が決まっており、また、天井の広さによっては、長方形もあり得るため、予め作製されている天井シール１より規格に見合うものを選択するものである。そして、天井シール１より台紙４を剥がしてシール本体２の粘着剤層３を露呈し、図８に示すように粘着剤層３を介して天井２１に貼り付ける。天井２１へは、シール本体２の第一の角部５が四隅に、また、第三の角部７が中心部に、各々位置するように貼り付ける。前記のように貼り付けることにより、天井２１には、中心部に位置決めされた肉薄の第三の角部７より第一の角部５、並びに第一および第二の辺部９、１０より第一および第二の稜線部９，１０に向け下り勾配の傾斜面１５が形成される。したがって、結露が発生したとしても、天井２１の表面に傾斜面１５が形成されており、しかも、傾斜面１５の表面に第二の溝部１６が設けられているため、傾斜面１５または溝部１６に沿って水滴は、四隅に位置決めされた第一の角部５、並びに壁面２２に沿って位置決めされた第一および第二の稜線部９，１０へと流れるため、水滴が天井２１から浴室２０に自然落下することを防止できる。
なお、シール本体２を貼り付ける際、天井２１に予め設置されている図示省略の換気扇や照明などの既存備品の部分は切り欠いて貼り付けことができる。シール本体２が樹脂製の素材で作製されているため、切欠きなどの成形がし易いものである。
また、傾斜面１５または第二の溝部１６に沿って壁面２２側へと流れてきた水滴は、壁面２２に沿って位置決めされて設けられた傾斜状の第一の溝部１１、１２に誘導されて、さらに、四隅の第一の角部５へと流れ、水滴が壁面２２を伝って流れることが少なくなるため、壁面２２に多くの水滴が付着することによるカビ発生の減少が期待できる。
【００１４】
上述したように、台紙４を剥がして粘着剤層３を露呈させるだけで天井２１に天井シール１のシール本体２を貼り付けることができ（図８参照）、浴室２０側に、天井２１の中心部に位置決めされた肉薄状の第三の角部７より肉厚状の第一の角部５、並びに第一および第二の辺部１３、１４より第一および第二の稜線部９，１０に向けて傾斜した傾斜面１５が形成されることになり、浴室の天井２１に簡単に下り勾配の傾斜を成形することができるものである。さらに、傾斜面１５の表面には第二の溝部１６が形成されているので入浴中に結露が発生したとしても、溝部１６に水滴が溜まり傾斜面１５の傾斜に沿って流れ、壁面２２側に設けられた第一の溝部１０、１１に誘導されて壁面２２の四隅の第一の角部５を伝って流れるため、水滴が浴室２０内の浴槽２５や洗い場２６に直接自然落下することを防止できるものである。
しかも、第二の溝部１６は、開口部１６ｄが奥部１６ｃより幅狭な形状とされているため（図４参照）、溝部１６が浴室２０側に向けて開口していたとしても、溜まった水滴は幅狭な開口部１６ｂにより阻まれて落下しにくく、かつ、先の傾斜面１５の傾斜と相俟って浴室２０の周辺部の壁面２２や四隅に誘導されて流れるため、浴槽２５や洗い場２６で入浴中の人に水滴が自然落下しにくいものである。
【００１５】
次に、図９ないし図１１を用いて、他の実施の形態につき説明する。
なお、以下において、先の実施の形態と同様の部分には同一符合を付すに止め、詳説を要略する。
図９および図１０は、第一および第二のシール本体部材３１ａ、３１ｂを示すものであり、先の実施の形態のシール本体２（図１参照）の第一の角部５と、その対角に位置する第三の角部７との間において、対角線状に切断して三角形状の第一および第二のシール本体部材３１ａ、３１ｂを分離可能に形成したものである。
主に、図９に示すように、第一のシール本体部材３１ａは、肉厚の第一の角部５を切った第一の鋭角部５ａと、第二の角部６と、第三の角部７を切った第三の鋭角部７ａで形成された三角形状を呈しており、肉薄状に形成された第二の角部６より肉厚状に形成された第一の鋭角部５ａへ伸びる第一の稜線部９は傾斜状となっている（図２参照）。また、第二の角部６と第三の鋭角部７ａは、ほぼ同じ肉薄状の厚みで形成されるため、第二の角部６と第三の鋭角部７ａとを結ぶ第一の辺部１３は水平状態に形成される（図３参照）。さらに、肉薄状の第三の鋭角部７ａと肉厚状の第一の鋭角部５ａとを結ぶ対角線状に切断した部分は、傾斜状の第三の稜線部３２ａとなる。また、第三の鋭角部７ａより第一の鋭角部５ａ、並びに第一の辺部１３より第一の稜線部９に向けて傾斜面１５ａが形成され、その表面には複数の第二の溝部１６ａが設けられている。
主に、図１０に示すように、第二のシール部材本体部材３１ｂは、肉厚の第一の角部５を切った第一の鋭角部５ｂと、第四の角部８と、第三の角部７を切った第三の鋭角部７ｂで形成された、前記第一のシール本体部材３１ａと対称状の三角形状を呈しており、肉薄状に形成された第四の角部８より肉厚状に形成された第一の鋭角部５ｂへ伸びる第二の稜線部１０は傾斜状となっている。また、第四の角部８と第三の鋭角部７ｂとを結ぶ第二の辺部１４は水平状態に形成される。さらに、肉厚状の第一の鋭角部５ｂと肉薄状の第三の鋭角部７ｂとを結ぶ対角線で切断した部分は、傾斜状の第三の稜線部３２ｂとなる。また、第三の鋭角部７ｂより第一の鋭角部５ｂ、並びに第二の辺部１４より第二の稜線部１０へ向けて傾斜面１５ｂが形成され、その表面には複数の第二の溝部１６ｂが設けられている。
【００１６】
次に、主に、図１１を参照して、本発明に係る天井シールを使った浴室天井改装方法につき説明する。
天井２１の広さ（天井面積）の規格に合わせた浴室天井用シール（以下、適宜単に「天井シール」と称す）３０、より具体的には、規格に合わせた第一および第二のシール本体部材３１ａ、３１ｂを選び、図１１に示すように組み合わせる。すなわち、第一のシール本体部材３１ａの第一の稜線部３２ａと、第二のシール本体部材３１ｂの第二の稜線部３２ｂとを当接して矩形状の天井シール３０を形成する。同様にあと３枚の矩形状の天井シール３０を作成し、天井シール３０より台紙４を剥がし、粘着剤層３を露呈した上、第三の鋭角部７ａ、７ｂを対峙・当接して形成した第三の角部７が天井２１の中心部に位置するように位置決めし、さらに、第一の鋭角部５ａ、５ｂを対峙・当接して形成した第一の角部５が四隅に位置するように粘着剤層３を介して天井２１に貼り付ける。天井２１に対し、第一の角部５が四隅に、また、第三の角部７が中心部に、各々位置するように貼り付けることにより、天井２１には、中心部に位置決めされた肉薄の第三の角部７より第一の角部５、並びに第一および第二の辺部１３、１４より第一および第二の稜線部９、１０に向け下り勾配の傾斜面１５（１５ａ、１５ｂ）が形成される。したがって、結露が発生したとしても、天井２１の表面に傾斜面１５が形成されており、しかも、傾斜面１５の表面に第二の溝部１６（１６ａ、１６ｂ）が設けられているため、傾斜面１５または溝部１６に沿って水滴は壁面２２側へと流れるため、水滴が天井２１から浴室２０に自然落下することを防止できる。
先の実施の形態の天井シール１が天井２１の広さの４分の１の大きさ（面積）に相当していたのに対し、本実施の形態の天井シール３０は８分の１に相当する大きさとされるため、天井２１への貼り付け時、大きさが小さい分、上向きの作業時において撓むことが少なく、貼り付け作業がし易いものである。また、大きさが小さい分、保管や持ち運びが容易となる。
その他の構成、作用、効果については、先の実施の形態とほぼ同一につき詳説を省略する。
【００１７】
なお、上記実施の形態の構成及び動作は例であって、本発明の趣旨を逸脱しない範囲で適宜変更することができることは言うまでもない。
【００１８】
例えば、上記実施の形態において、シール本体裏面の粘着剤層３は、台紙４で覆われた、いわゆる台紙付きのシールとして説明したがこれに限定されないことは勿論であり、台紙なしで、熱活性化、あるいは、水分により活性化する粘着剤層を用いても構わない。
【図面の簡単な説明】
【００１９】
【図１】本発明の浴室天井用シールが台紙に仮着された状態を示す平面の概略説明図である。
【図２】同、図１中、矢示ＩＩ方向より見た概略側面図である。
【図３】同、図１中、矢示ＩＩＩ方向より見た概略側面図である。
【図４】同、第二の溝部１６を単一で取り出した概略側面図である。
【図５】浴室天井用シールを天井の広さに合わせて組み合わせた状態を示す平面の説明図である。
【図６】同、図５中、矢示ＶＩ−ＶＩに沿う概略断面説明図である。
【図７】浴室の概略側面説明図である。
【図８】浴室の天井部分の拡大概略側面説明図である。
【図９】他の実施の形態の浴室天井用シールの第一のシール本体部材を示す平面の概略説明図である。
【図１０】同、第二のシール本体部材を示す平面の概略説明図である。
【図１１】第一および第二のシール本体部材を天井の広さに合わせて組み合わせた状態を示す平面の説明図である。
【符号の説明】
【００２０】
１  浴室天井用シール（天井シール：第１の実施の形態）
２  シール本体
３  粘着剤層
４  台紙
５、５ａ、５ｂ  第一の角部
６  第二の角部
７、７ａ、７ｂ  第三の角部
８  第四の角部
９  稜線部
１０  稜線部
１１、１２  第一の溝部
１３  第一の辺部
１４  第二の辺部
１５、１５ａ、１５ｂ  傾斜面
１６、１６ａ、１６ｂ  第二の溝部
１６ｃ  奥部
１６ｄ  開口部
２０  浴室
２１  天井
２２  壁面
２３  窓
２４  鏡
２５  浴槽
２６  洗い場
３０  浴室天井用シール（天井シール：第２の実施の形態）
３１  シール本体部材
３１ａ  第一のシール本体部材
３１ｂ  第二のシール本体部材
３２ａ、３２ｂ    第三の稜線部
【図１】
2006283349.tif 000003
【図２】
2006283349.tif 000004
【図３】
2006283349.tif 000005
【図４】
2006283349.tif 000006
【図５】
2006283349.tif 000007
【図６】
2006283349.tif 000008
【図７】
2006283349.tif 000009
【図８】
2006283349.tif 000010
【図９】
2006283349.tif 000011
【図１０】
2006283349.tif 000012
【図１１】
2006283349.tif 000013